(57)【要約】【課題】造花を生ける場合に、水鉢のもつ利点を有効に生かしながら、生ける人が異なっても生け花の完成状態を均一にすることができる水鉢装置を提供する。【解決手段】複数の支持脚１３で水平に支持される水鉢１２の内部に、造花の取付け板１４をこの水鉢１２の内周縁から連なるよう設け、前記取付け板１４に設けた複数の差し込み孔１７に造花の軸部を差し込むことにより、造花を盛り付けて生ける。【選択図】図１
2008073323.tif 000002
【特許請求の範囲】
【請求項１】
下部に複数の支持脚が設けられた水鉢の内部に、装飾物の取付け板をこの水鉢の内周縁から連なるよう設け、前記取付け板に、装飾物の軸部を差し込む複数の差し込み孔を所定の配列で設けた仏事用の水鉢装置。
【請求項２】
上記水鉢が、下部環状体と上部環状体を上下から嵌め合わせて組み立てる二つ割構造となり、前記下部環状体に下面で開口する複数の支持脚差し込み部を設け、上部環状体に装飾物の取付け板を設けた請求項１に記載の仏事用の水鉢装置。
【発明の詳細な説明】
【技術分野】
【０００１】
この発明は、法事や仏事において、仏前や祭壇等に造花を生け花風に飾るために用いる仏事用の水鉢装置に関する。
【背景技術】
【０００２】
法事や仏事を執り行う場合、仏前や祭壇等に各種装飾具を設置して荘厳な雰囲気をかもし出すようにしているが、仏前や祭壇等に造花を生け花風に飾ることもその一つである。
【０００３】
従来、法事や仏事において、造花を生け花風に飾る場合、図４（ａ）のように、花瓶１を用い、この花瓶１の口部に、特許文献１で示されているような、複数の孔２を設けたレンコン板３を嵌め込み、このレンコン板３の孔２に造花Ａの軸部ａを差し込んで生ける方法や、図４（ｂ）のように、水鉢４の内部に板状やブロック状の発泡スチロール５を配置し、この発泡スチロール５に造花Ａの軸部ａを差し込んで生ける方法が採用されている。
【特許文献１】特開２０００−１９７５４９号公報
【発明の開示】
【発明が解決しようとする課題】
【０００４】
ところで、上記した花瓶１を用いた場合、どうしても生けた造花Ａが一箇所にかたまり状となり、見た目の豪華さに欠けるだけでなく、花瓶１は上下に長く下面の接地面積も少ないため、配置状態が不安定となり、造花Ａは上端部に重心があるため少しの外力で転び易いという問題がある。
【０００５】
また、水鉢４を用いた場合、平たい形状であるので下面の接地面積を広く確保でき、倒れる心配が少ないと共に、造花Ａを平面的に分散できるので豪華な感じを出せるが、発泡スチロール５に造花Ａの軸部を任意の位置に差し込んで生けるため、生ける人によって生け花の完成状態が変化し、均一な装飾効果が得られないという問題がある。
【０００６】
そこで、この発明の課題は、水鉢のもつ利点を有効に生かしながら、生ける人が異なっても生け花の完成状態を均一にすることができる水鉢装置を提供することにある。
【課題を解決するための手段】
【０００７】
上記の課題を解決するため、この発明は、下部に複数の支持脚が設けられた水鉢の内部に、装飾物の取付け板をこの水鉢の内周縁から連なるよう設け、前記取付け板に、装飾物の軸部を差し込む複数の差し込み孔を所定の配列で設けた構成を採用したものである。
【０００８】
ここで、上記水鉢が、下部環状体と上部環状体を上下から嵌め合わせて組み立てる二つ割構造となり、前記下部環状体に下面で開口する複数の支持脚差し込み部を設け、上部環状体に装飾物の取付け板を設けた構造とすることができる。
【０００９】
上記装飾物の取付け板は、上部環状体の内周縁から内側に向けて突出する複数の腕板の先端に設けた円形の水平板によって形成され、この水平板に複数の差し込み孔が一定の配列で設けられ、差し込み孔は、電飾造花のように軸部に通電コードを内蔵した太径軸部を差し込む大径孔と、普通の造花の軸部を差し込む小径孔の組み合わせからなり、これらの各差し込み孔は差し込んだ造花を安定よく支持できるよう、取付け板の下面側に突出する保持筒を備えている。
【００１０】
上記取付け板の差し込み孔は一定の配列になっているので、決められた差し込み孔に決められた種類の造花を差し込んで生けるようにすれば、生ける人が異なっても生け花の完成状態を均一にすることができる。
【発明の効果】
【００１１】
この発明によると、水鉢の内部に装飾物の取付け板をこの水鉢の内周縁から連なるよう設け、前記取付け板に装飾物の軸部を差し込む複数の差し込み孔を所定の配列で設けたので、水鉢の安定感を有効に生かしながら造花を生け花風に飾ることができ、決められた差し込み孔に決められた種類の造花を差し込んで生けるようにすれば、生ける人が異なっても生け花の完成状態を均一にすることができる。
【００１２】
また、水鉢を二つ割構造とし、上部環状体に取付け板を設け、下部環状体に下面で開口する複数の支持脚差し込み部を設けたので、取付け板と支持脚差し込み部を有する水鉢を合成樹脂等を用いて製作する場合に、金型での製作が簡単容易となり、かつ、水鉢を支持脚で支持することにより、水鉢の高さをかせぐことで装飾効果の向上が図れる。
【発明を実施するための最良の形態】
【００１３】
以下、この発明の実施の形態を図示例に基づいて説明する。
【００１４】
図示のように、水鉢装置１１は、水鉢１２とこれを支持する支持脚１３とからなり、前記水鉢１２は、平面長円形や楕円、円形の環状に形成され、下部に取付けた４本の支持脚１３によって支持され、その内部に装飾物である造花Ａの取付け板１４がこの水鉢１２の内周縁から連なるように設けられている。
【００１５】
上記水鉢１２は、実際に水を入れるものではなく、花器である水鉢の外形を模したものであり、合成樹脂等を用いた下部環状体１２ａと上部環状体１２ｂを上下から嵌め合わせて組み立てる二つ割構造となり、前記下部環状体１２ａの内側４箇所に、下面で開口する角形の箱に形成され、リブで下部環状体１２ａの内周よりも少し内側に位置する支持脚差し込み部１５が設けられ、所定の長さを有する支持脚１３の上端を前記差し込み部１５に差し込むことにより、水鉢１２を水平に支持するようになっている。
【００１６】
また、上部環状体１２ｂに設けた造花Ａの取付け板１４は、上部環状体１２ｂの内周縁から内側に向けて突出する複数の腕板１６の先端に設けた円形の水平板によって形成され、この取付け板１４に造花Ａの軸部ａを差し込むための複数の差し込み孔１７が所定の配列で設けられ、差し込み孔１７は、蓮花のような電飾造花Ａのように軸部ａに通電コードを内蔵した太径の軸部ａを差し込む大径孔１７ａと、普通の造花Ａの軸部ａを差し込む小径孔１７ｂの組み合わせからなり、これらの各差し込み孔１７は差し込んだ造花Ａを安定よく支持できるよう、取付け板１４の下面側に突出する保持筒１８を備えている。
【００１７】
この発明の水鉢装置１１は上記のような構成であり、下部環状体１２ａと上部環状体１２ｂを上下から嵌め合わせて水鉢１２を組み立て、下部環状体１２ａの支持脚差し込み部１５に支持脚１３の上端を差し込むことにより、水鉢１２を水平に支持し、上部環状体１２ｂに設けた取付け板１４の各差し込み孔１７に、予め指定した造花Ａの軸部ａを差し込んで盛り付けることにより生け花を形成し、必要ならば名札ｂ等を取付けた図３の状態で、法事や仏事において、仏前や祭壇等に飾るものである。
【００１８】
上記水鉢装置１１は、水鉢１２の安定感を有効に生かしながら、決められた差し込み孔１７に決められた種類の造花Ａの軸部ａを差し込んで生けるようにすることで、生ける人が異なっても生け花の完成状態を均一にすることができ、水鉢１２を支持脚１３で支持して高さをかせぐことで装飾効果の向上が図れる。
【図面の簡単な説明】
【００１９】
【図１】（ａ）はこの発明に係る水鉢装置の平面図、（ｂ）は（ａ）の矢印ｂ−ｂの部分を縦断した正面図
【図２】この発明に係る水鉢装置の分解斜視図
【図３】この発明に係る水鉢装置の使用状態を示す正面図
【図４】造花を生け花風に飾る従来例を示し、（ａ）は花瓶を用いた例の斜視図、（ｂ）は水鉢と発泡スチロールを用いた例の斜視図
【符号の説明】
【００２０】
１１        水鉢装置
１２        水鉢
１２ａ      下部環状体
１２ｂ      上部環状体
１３        支持脚
１４        取付け板
１５        支持脚差し込み部
１６        腕板
１７        差し込み孔
１８        保持筒
【図１】
2008073323.tif 000003
【図２】
2008073323.tif 000004
【図３】
2008073323.tif 000005
【図４】
2008073323.tif 000006